(57)【要約】      （修正有）【課題】装飾性をもった吸盤及び吸着盤の提供。【解決手段】柔軟性基材からなる吸着盤の内側中央に窪みを設け、窪み外周から前記柔軟性基材が外下方向に延長又は外方向に平行延長し延長部分を任意の形状を有し前記吸着盤の外側中央に握り手を有する吸着盤。【選択図】図２
0003124137.tif 000002
【実用新案登録請求の範囲】
【請求項１】
柔軟性基材からなる吸着盤の内側中央に窪みを設け、窪み外周から前記柔軟性基材が外下方向に延長又は外方向に平行延長され、前記吸着盤の外側中央に握り手を有することを特徴とする吸着盤。
【請求項２】
柔軟性基材からなる吸着盤の内側中央に窪みを設け、窪み外周から前記柔軟性基材が外下方向に延長又は外方向に平行延長され、延長部分を特定の形状を有し前記吸着盤の外側中央に握り手を有することを特徴とする請求項１記載の吸着盤。
【考案の詳細な説明】
【技術分野】
【０００１】本考案は、ガラス、壁面に装着する吸盤に関するものである。
【背景技術】
【０００２】従来、図１に示すよう壁面に物品をサポートするために真空を利用した吸着盤（１０ｂ）が考案されていたが、吸盤の構造は柔軟材質で形成され吸盤の内方に窪み（１０３ｂ）を設けた円形のドーム状で、吸盤を平面に押し付け円形ドーム状の窪み（１０３ｂ）の空気を押し出し真空状態の吸引力により前記吸盤を壁面に装着するものであった。
【考案の開示】
【考案が解決しようとする課題】
【０００３】  これには次のような欠点があった。
一般的な吸盤においては円形ドーム状の形状形成で、装飾性をもった吸盤及び吸着盤の提供がなされていなかった。【０００４】  実開平６−６７３２において吸着盤が考案されていたが、吸盤の構造は柔軟材質で形成され吸盤の窪みを設けた内方に円形のドーム状に切り込みを設け、吸盤を平面に押し付け円形ドーム状の窪みの空気を押し出し真空状態の吸引力を高め、前記吸盤を壁面への装着強化及び取り外しを容易にするものであった。
【実用新案文献１】
実用新案公開番号  実開平６−６７３２
【課題を解決するための手段】
【０００５】装飾性をもった吸盤及び吸着を提供する目的において、柔軟性基材からなる吸着盤の内側中央に窪みを設け、窪み外周から前記柔軟性基材が外下方向に延長又は外方向に平行延長し延長部分を任意の形状を有し前記吸着盤の外側中央に握り手を有する吸着盤を提供する。
【０００６】  本考案は、図２及び図３に示すよう吸着盤（１０）の直径（Ｄ）からなる内側中央に窪み（１０３）直径（Ｐ）を設け、窪み（１０３）部から外下方向に延長又は外方向は平行延長したことで装着の強化を可能とし、延長部分（Ｐ／Ｌ）を任意の形状を有することで装飾性をもった吸着盤を提供する。
以上、課題を解決するための手段として本考案の吸着盤を提供する。
【考案を実施するための最良の形態】
【０００７】  以下、本考案の実施の形態について図１乃至図５をもちいて説明する。
図１に記載されているのは、従来の吸着盤構成の断面図を示したもので吸着盤（１０）の直径（Ｄ）からなる内側中央に窪み（１０３）直径（Ｐ）を設け、延長部分を保有しない。【０００８】図２に記載されているのは、本考案の吸着盤の側断面で、吸着盤（１０）の直径（Ｄ）からなる内側中央に窪み（１０３）直径（Ｐ）を設け、窪み（１０３）部から外下方向に延長し、延長部分（Ｐ／Ｌ）を任意の形状を有し、吸着盤本体（１０１）の外側中央に握手（１０２）を設けた構成の側断面を示した図である。【０００９】図３に記載されているのは、本考案の吸着盤の側断面で、吸着盤（１０）の直径（Ｄ）からなる内側中央に窪み（１０３）直径（Ｐ）を設け、窪み（１０３）部から外方向に平行延長し、延長部分（Ｐ／Ｌ）を任意の形状を有し、吸着盤本体（１０１）の外側中央に握手（１０２）を設けた構成の側断面を示した図である。【００１０】本明細、図２及び図３に記載した吸着盤においては、吸着盤（１０）の直径（Ｄ）からなる内側中央に窪み（１０３）直径（Ｐ）を設け、窪み（１０３）部から外下方向に延長又は外方向に平行延長し、延長部分（Ｐ／Ｌ）を任意の形状を有するものであるが、窪み（１０３）部から外下方向に延長又は外方向に平行延長された延長部分（Ｐ／Ｌ）の長さ角度は吸着性効果と目的に応じて形成されるものである。【００１１】また、本考案の大きさや形状においても目的と効果において任意に形成されるものであるが、吸着盤（１０）の直径（Ｄ．７０ｍｍ）からなる内側中央に窪み（１０３）直径（Ｐ．４０ｍｍ）を設け、窪み（１０３）部から右外方向（Ｐ／Ｌ．１５ｍｍ）、左外方向（Ｐ／Ｌ．１５ｍｍ）に平行延長し、左右延長部分（Ｐ／Ｌ．３０ｍｍ）延長にて形成されるのが望ましい。【００１２】本考案の吸着盤の柔軟性材料については、ゴム、軟質塩化ビニール、合成樹脂素材等からなるもので、本明細記載外の吸着盤の形成に可能な部材にて採用するもので、その製造方法においても小ロットに対応した加工方法においては、従来の既製の円形吸着盤本体の窪み部から外下方向に延長又は外方向に平行延長した延長部分の円形状から任意の形状に打ち抜きにて加工形成され、また、他の加工方法においては任意の形成された型より形成することが可能で、本明細に記載した以外の吸盤の加工方法においては公知された加工方法が実施されるものである。【００１３】図４に記載されているのは、前記図３に記載した吸着盤（１０）の実施形態の正面図で、吸着盤本体（１０１）の窪み（１０３）部から外下方向に延長又は外方向に平行延長し、延長部分（Ｐ／Ｌ）の外形をハート形に形成した形態の上方からの図である。【００１４】図５に記載されているのは、吸着盤本体（１０１）の窪み（１０３）部か外下方向に延長又は外方向に平行延長し、延長部分（Ｐ／Ｌ）を任意の形状となる前記図４記載における形状の応用実施例である。
本考案の吸盤の形状は、本明細の図に記載した以外の成形可能な形状にて実施されるものである。
以上、本考案、吸着盤の実施形態である。
【考案の効果】
【００１６】本考案、吸着盤の実施において下記の効果が得られる。
本考案、吸着盤（１０）の直径（Ｄ）からなる内側中央に窪み（１０３）直径（Ｐ）、窪み（１０３）部から外下方向に延長又は外方向に平行延長し延長部分（Ｐ／Ｌ）を設けることにより、延長部分（Ｐ／Ｌ）を任意の形状に形成を可能としたことから、装飾性効果をもった吸着盤の提供がなされ、その効果により簡易的な形状のロゴマークやキャラクター形状、家庭用、ギフト、プレミアム商品等としての活用がなされる。
【００１７】また、実施における効果において吸着盤（１０）の直径（Ｄ）からなる内側中央に窪み（１０３）直径（Ｐ）を保持する形態から吸着盤における吸着性とデザイン性の効果は十分に得られる。
本考案は、以上のような効果を実現できるものである。
【図面の簡単な説明】
【００１８】
【図１】従来の例を示した吸着盤の側断面図である。
【図２】本考案、吸着盤の側断面図である。
【図３】本考案、応用形状吸着盤の側断面図である。
【図４】本考案の実施形態の正面図である。
【図５】本考案の応用実施形態の正面図である。
【符号の説明】
【００１９】１０．吸着盤
１０１．吸着盤本体
１０２．握手
１０３．窪み
１０ｂ．吸着盤
１０３ｂ．窪み
【図１】
0003124137.tif 000003
【図２】
0003124137.tif 000004
【図３】
0003124137.tif 000005
【図４】
0003124137.tif 000006
【図５】
0003124137.tif 000007